(57)【要約】【課題】  ローミング機能に対応している無線端末において、サービスエリア毎に異なっている発信特番を自動的に変更し、ユーザによる発信特番のダイヤル操作を必要としない無線端末を提供する。【解決手段】  無線端末の利用者は、電話帳機能部１０３に電話帳登録情報毎に電話番号グループを、発信特番管理部１０６に電話番号グループ毎とサービスエリア毎の発信特番を登録しておく。また、基地局に対して無線端末１００が在圏していることを構内交換機に通知する位置登録を実施した時に、位置登録を実施した基地局のＩＤを基地局ＩＤ記憶部１０５に記憶しておく。電話帳機能部１０３に記憶している電話番号に発信する操作が為されると、電話帳機能部１０３と基地局ＩＤ記憶部１０５と発信特番管理部１０６に予め記憶されている情報から発信特番を特定し、特定した発信特番を電話番号に付与して発信する。【選択図】    図２
2016086356.tif 000002
【特許請求の範囲】
【請求項１】
基地局を収容する構内交換機と通信回線により接続し、所定の発信特番を付与して発信が可能なホーム局構内交換機のサービスエリアから前記ホーム局構内交換機とは発信特番が異なるビジタ局構内交換機のサービスエリアへ移動した場合に発着呼の自動接続を行うローミング機能を有する無線端末であって、
前記ホーム局構内交換機と前記ビジタ局構内交換機とを識別する為の基地局ＩＤを記憶する基地局ＩＤ記憶手段と、自端末が有する電話帳内の電話番号をサービスエリア毎のグループに分けて管理する電話番号グループ管理手段と、発信時に電話番号に付与する発信特番と前記電話番号グループを対応付けて管理する発信特番管理手段と、を有し、
前記ビジタ局構内交換機が分担するサービスエリア内で発信操作が為されたときに、前記発信特番管理手段から、電話番号に付与すべき発信特番を決定し、当該電話番号に付与して発信することを特徴とする特番付与機能を有する無線端末。
【発明の詳細な説明】
【技術分野】
【０００１】
本発明はローミング機能を有する無線端末の発信特番を自動で付与する事が可能な無線端末に関する。
【背景技術】
【０００２】
従来、ローミングサービスが提供されている無線端末を収容する複数の構内交換機から構成されるシステムにおいて、所定の構内交換機に属する無線端末を他の構内交換機が提供するサービスエリアに移動させた場合に、元の構内交換機で使用していた発信特番で発信できないという問題が発生する。そのため、ユーザは移動した先の構内交換機の発信特番を付与して発信操作しなければならず、使い勝手が悪いものとなっている。
【０００３】
これを改善するために、無線端末を他の構内交換機が提供するサービスエリアに移動させた場合に、当該他の構内交換機が提供するサービスエリアに在圏していることを無線端末から通知されると、ユーザがダイヤル操作により入力した元の構内交換機における発信特番を当該他の構内交換機の発信特番に変換して発信する方法がある（例えば、特許文献１）。
【０００４】
しかしながら、特許文献１に記載された技術では、前記ビジタ局構内交換機のサービスエリア内で発信操作を行う場合であっても、前記ホーム局の発信特番をダイヤル操作しなければならないため、発信操作が煩わしいという欠点があった。
【先行技術文献】
【特許文献】
【０００５】
【特許文献１】特開平１１−１２２６６９号公報
【発明の概要】
【発明が解決しようとする課題】
【０００６】
そこで、本発明の課題は、ローミング機能に対応している無線端末において、サービスエリア毎に発信特番を自動変更し、発信特番のダイヤル操作を不要とする無線端末を提供することにある。
【課題を解決するための手段】
【０００７】
上記課題を解決するために、本発明は、基地局を収容する構内交換機と通信回線により接続し、所定の発信特番を付与して発信が可能なホーム局構内交換機のサービスエリアから前記ホーム局構内交換機とは発信特番が異なるビジタ局構内交換機のサービスエリアへ移動した場合に発着呼の自動接続を行うローミング機能を有する無線端末であって、前記ホーム局構内交換機と前記ビジタ局構内交換機とを識別する為の基地局ＩＤを記憶する基地局ＩＤ記憶手段と、自端末が有する電話帳内の電話番号をサービスエリア毎のグループに分けて管理する電話番号グループ管理手段と、発信時に電話番号に付与する発信特番と前記電話番号グループを対応付けて管理する発信特番管理手段と、を有し、前記ビジタ局構内交換機が分担するサービスエリア内で発信操作が為されたときに、前記発信特番管理手段から、電話番号に付与すべき発信特番を決定し、当該電話番号に付与して発信することを特徴とする。
【発明の効果】
【０００８】
本発明によれば、ローミング機能に対応している無線端末において、サービスエリア毎に発信特番を自動変更し、発信特番のダイヤル操作を必要としない無線端末を提供することができる。
【図面の簡単な説明】
【０００９】
【図１】本発明の実施形態に係る全体構成例を示す図である。
【図２】本発明の実施形態に係る無線端末の機能ブロック図である。
【図３】本発明の実施形態に係る電話帳機能部に登録する内容の一例である。
【図４】本発明の実施形態に係る発信特番管理部に登録する内容の一例である。
【図５】本発明の実施形態に係る無線端末の動作フローチャートである。
【発明を実施するための形態】
【００１０】
以下、本発明の実施の形態について、図を用いて説明する。
【００１１】
図１に、本発明の全体構成例を示す。この構成例では、構内交換機と基地局と無線端末とで構成され、２台の構内交換機のそれぞれがそれぞれ異なるサービスエリアを持ってシステムを構成しており、構内交換機間は通信回線で接続されている。
【００１２】
無線端末１００が元々接続されている構内交換機をホーム局構内交換機２００という。無線端末１００がホーム局から他の交換機（移動先の構内交換機をビジタ局構内交換機２０１という）へ移動した場合、無線端末１００はビジタ局構内交換機２０１に接続されたビジタ局の基地局３０１を検索する。基地局３０１を検出すると、基地局３０１に対して無線端末１００が在圏していることを構内交換機に通知する位置登録を行うことで、ビジタ局サービスエリアでの使用が可能となる。
【００１３】
移動先で携帯端末１００に着信が生じたときは、ホーム局構内交換機２００とビジタ局構内交換機２０１は、互いに無線端末１００の所在を把握しており、通信回線を介してホーム局構内交換機２００からビジタ局構内交換機２０１へ着信を転送することにより移動先での着信が可能となる。そのため、発信相手が同じ無線端末であれば、発信相手の無線端末が何れの構内交換機に従属していたとしても、他の無線端末が元々接続されている構内交換機に応じた発信特番を付加することで、他の無線端末への発信は可能である。
【００１４】
無線端末１００は、ビジタ局の基地局３０１を検出すると、予め記憶されたビジタ局の基地局３０１が接続されているビジタ局構内交換機２０１のサービスエリアにて使用する発信特番を発信時に自動付加する。ビジタ局のサービスエリアから発信操作を行うと、無線端末１００はビジタ局用の発信特番を電話番号に自動付加し、ビジタ局の基地局３０１を介してビジタ局構内交換機２０１に送信する。ビジタ局構内交換機２０１は受信した発信特番に基づいて処理を行う。
【００１５】
図２は本発明の無線端末の機能ブロック図である。図２において、無線端末１００は無線通信の制御を行う無線制御部１０２と、名前と電話番号とを関連付けた電話帳登録情報をサービスエリア毎のグループに分けて記憶する電話帳機能部１０３と、位置登録を実施した基地局のＩＤを記憶する基地局ＩＤ記憶部１０５と、電話番号グループと電話番号に付与する発信特番とをテーブルとして記憶し管理する発信特番管理部１０６と、発信操作等のため入力されるキー入力部１０７と、ＬＣＤなどを備えた表示部１０８と、音声通話を司る音声入出力処理部１０９と、送話器１１０と、受話器１１１と、スピーカ１１２と、上記各部および無線端末全体の制御を行う本体制御部１０１から構成されている。
【００１６】
尚、位置登録とは無線端末１００がサービスエリア内に移動し、構内交換機に接続された基地局に対して自端末が在圏していることを通知するものである。
【００１７】
図３は、電話帳機能部１０３に登録されている内容の一例である。列１０４１は電話帳登録情報の名前と電話番号が関連付けられて予め登録されている。列１０４２には電話番号グループが電話帳登録情報の名前と電話番号に関連付けられて予め登録されている。
【００１８】
無線端末の利用者は、予め、無線端末を操作して、電話帳登録情報（列１０４１）毎に記憶させる電話番号グループ（列１０４２）を登録しておく。例えば、電話帳登録情報の名前がＡさん、電話番号が１００の場合（列１０４１）、電話番号グループはＡ工場内線（列１０４２）であることが登録されている。
【００１９】
基地局ＩＤ記憶部１０５はサービスエリア内に移動し、ローミング機能により構内交換機に接続された基地局に対して無線端末１００が在圏していることを構内交換機に通知する位置登録を実施した時に、位置登録を実施した基地局のＩＤを記憶する。また電話帳発信操作が為されると本体制御部１０１の指示により発信特番管理部１０６へ記憶した基地局ＩＤを出力する。
【００２０】
発信特番管理部１０６は基地局ＩＤ記憶部１０５から受け取った基地局ＩＤと、電話帳機能部１０３から受け取った電話番号グループとから記憶されている発信特番を検索し、発信特番を本体制御部１０１へ出力する。
【００２１】
図４は、発信特番管理部１０６に登録されている内容の一例である。列１０６１は電話番号グループ、列１０６２にはホーム局サービスエリア（基地局３００接続時）の発信特番、列１０６３にはビジタ局サービスエリア（基地局３０１接続時）の発信特番が関連付けられて予め登録されている。
【００２２】
無線端末の利用者は、予め、無線端末を操作して、電話番号グループ（列１０６１）毎に記憶させるサービスエリア毎の発信特番（列１０６２、列１０６３）を登録しておく。例えば、Ａ工場内線の場合、ホーム局サービスエリア（基地局３００接続時）内で無線端末を電話帳発信操作したときは電話番号には発信特番を付与しないことが登録されており、ビジタ局サービスエリア（基地局３０１接続時）内で無線端末を電話帳発信操作したときは電話番号に発信特番１０を付与することが登録されている。
【００２３】
表示部１０８はＬＣＤなどを備え本体制御部１０１から送られてきたデータを表示する。音声入出力処理部１０９は送話器１１０から入力されるアナログ信号をデジタル信号に変換して本体制御部１０１へ出力し、また本体制御部１０１から入力されるデジタル信号はアナログ信号に変換して受話器１１２またはスピーカ１１３より外部へ出力する。
【００２４】
本体制御部１０１は発信特番管理部１０６から受け取った発信特番を電話番号に付与し、無線制御部１０２へ出力する。
【００２５】
図５は、無線端末１００が何れかのサービスエリア内から、特番を付与し発信する動作を説明するフローチャートである。
【００２６】
本体制御部１０１は、キー入力部１０７からの信号により、電話帳への電話番号登録操作を検出すると（Ｓ２００：Ｙｅｓ）、電話帳機能部１０３に名前、電話番号、電話番号グループを記憶し、発信特番管理部１０６にサービスエリア毎の発信特番を記憶し（Ｓ２０１）、ステップ２０２に移行する。電話帳への電話番号登録操作がない場合は、ステップ２０２に移行する（Ｓ２００：Ｎｏ）。
【００２７】
本体制御部１０１は、無線端末１００がサービスエリアの圏外に位置し、何れかのサービスエリアを探索している状態にあるとき、無線制御部１０２からの信号により何れかのサービスエリアの圏内に移動したこと、あるいは無線端末１００が何れかのサービスエリア内に在圏していることを構内交換機に通知する位置登録を行った後、位置登録を行った構内交換機のサービスエリア圏内のままであることを判断すると（Ｓ２０２：Ｙｅｓ）、ステップ２０３に移行する。サービスエリアの圏内であることが判断できない場合は、ステップ２００に移行する。（Ｓ２０２：Ｎｏ）。
【００２８】
本体制御部１０１は、無線制御部１０２からの信号によりサービスエリアの基地局ＩＤが基地局ＩＤ記憶部１０５に記憶している基地局ＩＤと同一であるか判断する（Ｓ２０３）。基地局ＩＤが同一の場合は（Ｓ２０３：Ｙｅｓ）、ステップ２０７に移行する。
【００２９】
サービスエリアの基地局ＩＤが基地局ＩＤ記憶部１０５に記憶した基地局ＩＤと異なる場合（Ｓ２０３：Ｎｏ）、本体制御部１０１はサービスエリアがホーム局のサービスエリア内か判断する（Ｓ２０４）。
【００３０】
ホーム局のサービスエリア内の場合は（Ｓ２０４：Ｙｅｓ）、本体制御部１０１はホーム局の基地局３００を介してホーム局構内交換機２００に対して、無線端末１００が在圏していることを構内交換機に通知する位置登録を行い、位置登録を行ったホーム局構内交換機２００に接続されている基地局３００の基地局ＩＤを基地局ＩＤ記憶部１０５に記憶し（Ｓ２０５）、ステップ２０７に移行する。
【００３１】
移動先のサービスエリアがホーム局のサービスエリア内では無い場合（Ｓ２０４：Ｎｏ）、本体制御部１０１はビジタ局のサービスエリアと判断し、ビジタ局の基地局３０１を介してビジタ局構内交換機２０１に対して、無線端末１００が在圏していることを構内交換機に通知する位置登録を行い、位置登録を行ったビジタ局構内交換機２０１に接続されている基地局３０１の基地局ＩＤを基地局ＩＤ記憶部１０５に記憶し（Ｓ２０６）、ステップ２０７に移行する。
【００３２】
本体制御部１０１は、キー入力部１０７からの信号により、発信操作があったことを検出すると（Ｓ２０７：Ｙｅｓ）、基地局ＩＤ記憶部１０５にステップ２０５もしくはステップ２０６で記憶しておいた基地局ＩＤを発信特番管理部１０６に送るよう指示し、ステップ２０８に移行する。発信操作がない場合は発信操作なしと判断し（Ｓ２０７：Ｎｏ）、ステップ２００に移行する。
【００３３】
本体制御部１０１は、ステップ２０７での発信方法が電話帳機能部１０３から任意の電話番号を検索し、検索結果を表示部１０８に表示した状態から発信先の電話番号に発信する電話帳発信操作が為されたかを判断し（Ｓ２０８）、電話帳発信操作の場合は（Ｓ２０８：Ｙｅｓ）、ステップ２０９に移行する。電話帳発信操作からの発信では無い場合は、発信特番を付加せずに発信し（Ｓ２１３）、このフローチャートを終了する（Ｓ２０８：Ｎｏ）。
【００３４】
本体制御部１０１は、電話帳機能部１０３と連携し、発信先の電話帳登録情報に対して、電話番号グループの関連付けの有無を確認する（Ｓ２０９）。発信先の電話帳登録情報に対して、電話番号グループが関連付けされている場合は、発信特番管理部１０６へ電話番号グループ情報を送る（Ｓ２０９：Ｙｅｓ）。発信先の電話帳登録情報に対して、電話番号グループが関連付けされていない場合は、発信特番を付加せずに発信し（Ｓ２１３）、このフローチャートを終了する（Ｓ２０９：Ｎｏ）。
【００３５】
発信特番管理部１０６は、基地局ＩＤ記憶部１０５より受け取った基地局ＩＤとステップ２０９にて電話番号グループ管理部より受け取った電話番号グループ情報に基づき、発信先の電話番号に付加する発信特番を検索し（Ｓ２１０）、発信先の電話番号に付加する発信特番が存在する場合は、本体制御部１０１へ付加する発信特番を送る（Ｓ２１１：Ｙｅｓ）。受け取った基地局ＩＤが発信特番管理部１０６存在しない、もしくは受け取った電話番号グループ情報が発信特番管理部１０６に存在しない場合は、発信特番を付加せずに発信し（Ｓ２１３）、このフローチャートを終了する（Ｓ２１１：Ｎｏ）。
【００３６】
本体制御部１０１は、発信特番管理部１０６より送られてきた発信特番を発信先の電話番号に付加し、無線制御部１０２に送る。無線制御部１０２は受け取った発信特番を付加した発信先の電話番号を基地局に送る。
【００３７】
以上、本発明の実施形態について説明した。本発明によれば、ローミング機能に対応している無線端末において、サービスエリア毎に発信特番を自動変更することが可能となり、発信特番のダイヤル操作を必要としない無線端末を提供することができる。
【符号の説明】
【００３８】
１００・・・無線端末
２００・・・ホーム局構内交換機
２０１・・・ビジタ局構内交換機
３００・・・ホーム局基地局
３０１・・・ビジタ局基地局
１０１・・・本体制御部
１０２・・・無線制御部
１０３・・・電話帳機能部
１０５・・・基地局ＩＤ記憶部
１０６・・・発信特番管理部
１０７・・・キー入力部
１０８・・・表示部
１０９・・・音声入出力処理部
１１０・・・送話器
１１１・・・受話器
１１２・・・スピーカ
【図１】
2016086356.tif 000003
【図２】
2016086356.tif 000004
【図３】
2016086356.tif 000005
【図４】
2016086356.tif 000006
【図５】
2016086356.tif 000007